(57)【要約】      （修正有）【課題】犯罪者からの反撃を防ぐ為の距離を確保、また犯罪者を押さえつける為の構造をもった刺股の先端に、スタンガンを取り付け、犯罪者を押さえつけると同時に非力化させる刺股を提供する。【解決手段】刺股の先端部分にスタンガンを取り付け、ナイフや包丁などの武器を持った犯罪者からの反撃を防ぐ為の距離を確保し、なおかつ刺股の先端に取り付けたスタンガンによって犯罪者を非力化する構造にしたタイプの刺股。【選択図】図１
0003115700.tif 000002
【実用新案登録請求の範囲】
【請求項１】
刺股の先端部分にスタンガンを取り付け、犯罪者からの反撃を防ぐ為の距離を確保し、スタンガンによって犯罪者を非力化する構造にしたタイプの刺股。
【考案の詳細な説明】
【技術分野】
【０００１】本考案は、犯罪者からの反撃を防ぐ為の距離を確保、また犯罪者を押さえつける為の構造をもった刺股の先端に、スタンガンを取り付け、犯罪者を押さえつけると同時に非力化させる刺股に関するものである。
【背景技術】
【０００２】従来の刺股は、犯罪者との距離を保って対峙はできるが、相手を抑えつけるには使用者の力のみに頼わざるを得なかった。これでは非力な者にとっては必ずしも有効な道具とはいえず、かえって犯罪者を刺激させ悲惨な結果を招くこともある。
【考案の開示】
【考案が解決しようとする課題】
【０００３】従来の刺股は、使用者の力で犯罪者をねじ伏せるものであるが、非力な者にとっては、それはかえって悪い局面を招きかねない。特に学校などにおいて非力な者が使用する場合、その局面は容易に想像できる。ナイフや包丁などの武器をもった犯罪者と対峙して刺股を使用する場合は、必ず相手を非力化させる必要性がある。
【課題を解決するための手段】刺股の先端部分にスタンガンを取り付け、犯罪者からの反撃を防ぐ為の距離を確保し、スタンガンによって犯罪者を非力化する構造にしたタイプの刺股
【考案の効果】本考案の刺股は、刺股使用者が、例え非力な者でも、確実に武器を持った犯罪者に対して相手を非力化でき、押さえつけることが出来るゆえ応援者を呼び寄せる時間を稼ぐことが可能になる。
【考案を実施するための最良の形態】
【実施例】以下添付図面に従って実施例を説明する。１、２、３は取り付け・取り外しが可能なスタンガン、４は刺股本体部分。５はグリップ部分である。
１、２、３のスタンガンは、それぞれ独立し、いつでも簡単に取り付け・取り外しできる構造を持っており、先端の電極が相手側に触れることによりスイッチオンになる。犯罪者と対峙した場合、１、２、３のどのスタンガンが犯罪者に触れてもその威力を発揮することができる。
0003115700.tif 000003
【手続補正書】
【提出日】平成17年7月15日(2005.7.15)
【手続補正１】
【補正対象書類名】明細書
【補正対象項目名】全文
【補正方法】変更
【補正の内容】
【考案の詳細な説明】
【技術分野】
【０００１】本考案は、電極を相手に押し付けることにより自動的にトリガースイッチがオンなる構造を持ったスタンガンで、スタンガン自身を刺股や長い棒状の物の先端に容易に取り付け、犯罪者からの反撃を防ぐ為の距離を確保することが可能な構造を併せ持ち、犯罪者を押さえつけると同時に高電圧によって犯罪者を非力化させるスタンガンに関するものである。
【背景技術】
【０００２】従来のスタンガンは、犯罪者との距離を保って対峙が出来ず、予め電源スイッチオン、使用時にトリガースイッチをオンすると同時に放電が起きる。犯罪者と対峙した場合、一連の動作を冷静に行えるかはなはだ疑問である。また電極放電が目の前で起きるため、使用者自身が恐怖感を覚え、かえって犯罪者を刺激させ悲惨な結果を招くこともある。
【考案の開示】
【考案が解決しようとする課題】
【０００３】従来のスタンガンは、相手との距離が近い場合でしか使用できず、非力な者にとっては、それはかえって悪い局面を招きかねない。特に学校などにおいて非力な者が使用する場合、その局面は容易に想像できる。ナイフや包丁などの武器をもった犯罪者と対峙してスタンガンを使用する場合も、相手との距離をとって対峙が出来なければいけない。なおかつスタンガンの使用時も、複雑な操作をさける必要がある。
【課題を解決するための手段】
【０００４】本考案のスタンガンは、電極が相手に触れたときのみ放電が起きるので、使用者が複雑な操作を必要としない。また放電は電極が犯罪者と触れてるときのみ放電するので、放電による恐怖感を持つことが少なく、非力な者が使用する場合でも安心して使用が可能である。特にスタンガンなどを使用する場合は、必ず相手を非力化させる必要性がある。従来のスタンガンは、相手との距離が近い場合でしか使用できず、非力な者にとっては、それはかえって悪い局面を招きかねない。特に学校などにおいて非力な者が使用する場合、その局面は容易に想像できる。ナイフや包丁などの武器をもった犯罪者と対峙して本考案のスタンガンを使用する場合は、相手との距離を保ちつつ、確実に相手を非力化させることが可能になる。
【考案の効果】
【０００５】本考案のスタンガンは、使用者が例え非力な者でも、確実に武器を持った犯罪者に対して相手を非力化でき、押さえつけることが出来るゆえ応援者を呼び寄せる時間を稼ぐことが可能になる。
【考案を実施するための最良の手段】
【０００６】
【実施例】以下添付図面に従って実施例を説明する。図面１は全体の平面図で、１、２、３はそれぞれ本考案のスタンガンで、刺股の先端に取り付けた図である。スタンガンはそれぞれ取り付け・取り外しが可能である。４は刺股本体部分。５はグリップ部分である。図面２は、スタンガンを取り付けた部分の拡大図である。図面３は電池内蔵型のスタンガン外観図、図面４は電池内蔵型スタンガンの回路構成図である。図５は電池外付け型のスタンガン外観図、図面６は電池外付けスタンガンの回路構成図である。１、２、３のスタンガンは、それぞれ独立し、いつでも簡単に取り付け・取り外しできる構造を持っており、先端の電極が相手側に触れることによりスイッチオンになる。電源になる電池は、スタンガン本体にそれぞれ保持させる図３の構造も可能である。また電池を刺股等の本体部分に持たせ、それぞれのスタンガンに供給する図５の構造も可能である。スタンガンそれぞれが電池を持つ図３の場合は、電源スイッチはそれぞれに付いており使用勝手が悪いが、刺股等の本体部分に電池をもつ図５の構造の場合は、電源スイッチは一つで全てのスタンガンの動作可能に出来るので、使い勝手が飛躍的に向上する。どちらの構造であっても犯罪者と対峙した場合、１、２、３のどのスタンガンが犯罪者に触れてもその威力を発揮することができる。
【図面の簡単な説明】
【図１】スタンガン付き刺股を示した平面図である。
【図２】スタンガン取り付け部分拡大図
【図３】電池内蔵型スタンガン外観図
【図４】電池内蔵型スタンガン回路図
【図５】電池外付け型スタンガン外観図
【図６】電池外付け型スタンガン回路図
【符号の説明】
１  スタンガン部分２  スタンガン部分３  スタンガン部分４  刺股本体５  グリップ６  電源スイッチ（電池外付けタイプの場合）
【手続補正２】
【補正対象書類名】図面
【補正対象項目名】全図
【補正方法】変更
【補正の内容】
【図１】
0003115700.tif 000004
【図２】
0003115700.tif 000005
【図３】
0003115700.tif 000006
【図４】
0003115700.tif 000007
【図５】
0003115700.tif 000008
【図６】
0003115700.tif 000009